(57)【要約】【課題】少なくとも２種類以上の軸寸法の異なるモータを取り付けることが可能なモータ取付具およびそれを用いたモータ取付構造を提供する。【解決手段】モータ取付具１は、モータ押え部１０と、モータ押え部１０の外縁側に設けられた３つの第１取付部１１〜１３と３つの第２取付部１４〜１６とを備える。上記第１取付部１１〜１３の各座面は同じ高さであり、第２取付部１４〜１６の各座面は同じ高さであり、第１取付部１１〜１３と第２取付部１４〜１６の座面の高さが異なる。モータ取付台の嵌合部に嵌め込まれたモータをモータ取付具１のモータ押え部１０によりモータ取付台側に押えつけた状態で、モータ取付具１の第１取付部１１〜１３（または第２取付部１４〜１６）を用いてモータ取付台にモータ取付具１をビスで固定する。【選択図】  図１
2004364423.tif 000002
【特許請求の範囲】
【請求項１】
モータ押え部（１０）と、
上記モータ押え部（１０）の外縁側に設けられ、座面の高さが少なくとも２種類以上ある取付部（１１〜１６）とを備え、
上記取付部（１１〜１６）の同じ高さの座面は複数あることを特徴とするモータ取付具。
【請求項２】
請求項１に記載のモータ取付具を用いたモータ取付構造にであって、
モータ取付台（２）と、
上記モータ取付台（２）に設けられ、モータ（３，４）が嵌め込まれた嵌合部（２２ａ）と、
上記嵌合部（２２ａ）に嵌め込まれた上記モータ（３，４）を上記モータ取付具（１）のモータ押え部（１０）により上記モータ取付台（２）側に押えつけた状態で、上記モータ取付具（１）の取付部（１１〜１６）を用いて上記モータ取付台（２）に上記モータ取付具（１）を固定したことを特徴とするモータ取付構造。
【発明の詳細な説明】
【０００１】
【発明の属する技術分野】
この発明は、モータ取付具およびそれを用いたモータ取付構造に関する。
【０００２】
【従来の技術】
従来、モータ取付具を用いたモータ取付構造としては、ファンケースのモータ取付部とモータ取付具との間にモータを押圧して固定するものがある（例えば、特許文献１参照）。
【０００３】
【特許文献１】
実開平７−１８１３８号公報
【０００４】
【発明が解決しようとする課題】
ところが、上記モータ取付具を用いたモータ取付構造では、ファンの送風能力が異なるだけの構成の装置において、使用するモータの軸方向の寸法が異なる場合、それぞれのモータに応じてモータ取付具を別々に用意しなければならないという欠点がある。
【０００５】
そこで、この発明の目的は、少なくとも２種類以上の寸法の異なるモータを確実に取り付けることが可能なモータ取付具およびモータ取付構造を提供することにある。
【０００６】
【課題を解決するための手段】
上記目的を達成するため、請求項１のモータ取付具は、モータ押え部と、上記モータ押え部の外縁側に設けられ、座面の高さが少なくとも２種類以上ある取付部とを備え、上記取付部の同じ高さの座面は複数あることを特徴としている。
【０００７】
上記請求項１のモータ取付具によれば、上記モータ押え部の外縁側に設けられた取付部の座面の高さが少なくとも２種類以上あるので、このモータ取付具を用いて高さ（軸方向の寸法）の異なるモータをモータ取付台に取り付けることが可能となる。また、上記取付部の同じ高さの座面は複数あるので、このモータ取付具を複数の取付部による複数の点でモータ取付台に確実に固定することが可能となる。したがって、少なくとも２種類以上の寸法の異なるモータを確実に取り付けることが可能となる。
【０００８】
また、請求項２のモータ取付構造は、請求項１のモータ取付具を用いたモータ取付構造にであって、モータ取付台と、上記モータ取付台に設けられ、モータが嵌め込まれた嵌合部と、上記嵌合部に嵌め込まれた上記モータを上記モータ取付具のモータ押え部により上記モータ取付台側に押えつけた状態で、上記モータ取付具の取付部を用いて上記モータ取付台に上記モータ取付具を固定したことを特徴としている。
【０００９】
上記請求項２のモータ取付構造によれば、上記モータ取付台に設けられた嵌合部にモータが嵌め込まれ、上記嵌合部に嵌め込まれたモータをモータ取付具のモータ押え部によりモータ取付台側に押えつけた状態で、モータ取付具の取付部を用いてモータ取付台にモータ取付具を固定する。このとき、座面の高さが少なくとも２種類以上ある取付部を備えた上記モータ取付具を用いることによって、少なくとも２種類以上の寸法の異なるモータを確実に取り付けることが可能なモータ取付構造を実現できる。
【００１０】
【発明の実施の形態】
以下、この発明のモータ取付具およびモータ取付構造を図示の実施の形態により詳細に説明する。
【００１１】
図１はこの発明の実施の一形態のモータ取付具１の斜視図であり、１０は中心に円穴１０ａが設けられた円板形状のモータ押え部、１１，１２，１３は上記モータ押え部１０の外縁側に周方向に略１２０°毎に間隔をあけて設けられた３つの第１取付部、１４，１５，１６は上記モータ押え部１０の外縁側に周方向に略１２０°毎に間隔をあけて設けられた３つの第２取付部である。上記第２取付部１４は、モータ押え部１０の外縁側の第１取付部１１に対向する位置に設けられ、第２取付部１５は、モータ押え部１０の外縁側の第１取付部１２に対向する位置に設けられ、第２取付部１６は、モータ押え部１０の外縁側の第１取付部１３に対向する位置に設けられている。なお、このモータ取付具１の材料は、金属であっても樹脂であってもよい。
【００１２】
上記第１取付部１１は、押え部１０の外縁から半径方向外側に向かって延びる基部１１ａと、その基部１１ａの先端から略直角方向（図１において上方）に折れ曲がる屈曲部１１ｂと、その屈曲部１１ｂの先端から半径方向外側に向かって延びる先端部１１ｃとを有している。上記先端部１１ｃに穴１７を設けている。また、他の第１取付部１２，１３も同様の構成をしており、３つの第１取付部１１，１２，１３の座面（図１の先端部１１ｃの下面）は、円板形状の押え部１０の軸方向に対して同一の高さを有している。
【００１３】
一方、上記第２取付部１４は、押え部１０の外縁から半径方向外側に向かって延びる基部１４ａと、その基部１４ａの先端から略直角方向（図１において下方）に折れ曲がる屈曲部１４ｂと、その屈曲部１４ｂの先端から半径方向外側に向かって延びる先端部１４ｃとを有している。上記先端部１４ｃに穴１８を設けている。また、他の第２取付部１５，１６も同様の構成をしており、３つの第２取付部１４，１５，１６の座面（図１の先端部１４ｃの下面）は、円板形状のモータ押え部１０の軸方向に対して同一の高さを有している。
【００１４】
また、図２は上記モータ取付具１を用いてモータを取り付けるモータ取付台２の斜視図を示しており、このモータ取付台２はケーシング２０の要部に設けられている。
【００１５】
図２に示すように、上記モータ取付台２は、ケーシング２０から立設された大径の円筒部２１と、その円筒部２１の内側にケーシング２０から立設された小径の円筒部２２と、上記小径の円筒部２２の外周から半径方向外向に延びるように設けられた３つのリブ２３Ａ，２３Ｂ，２３Ｃと、そのリブ２３Ａ，２３Ｂ，２３Ｃの夫々に、大径の円筒部２１と小径の円筒部２２との間の位置するように立設されたボス２４Ａ，２４Ｂ，２４Ｃとを有している。上記ボス２４Ａ，２４Ｂ，２４Ｃの先端に夫々ネジ穴２５を設けている。上記３つのボス２４Ａ，２４Ｂ，２４Ｃおよび小径の円筒部２２の内側の穴２２ａで嵌合部を構成している。
【００１６】
図３は軸方向の寸法が短い方の第１のモータの概略斜視図を示しており、図４は軸方向の寸法が長い方の第２のモータの概略斜視図を示している。
【００１７】
図３に示す第１のモータ３は、円筒形状の本体部３０と、その本体部３０の一端に設けられた円形の凸部３１と、その凸部３１の中心から突出する軸部３２と、上記本体部３０の他端に設けられたゴム等の弾性部材からなる凸部３３とを備えている。上記本体部３０の軸方向の寸法はＨ１、軸部３２の軸方向の寸法はＨ２とする。
【００１８】
一方、図４に示す第２のモータ４は、円筒形状の本体部４０と、その本体部４０の一端に設けられた円形の凸部４１と、その凸部４１の中心から突出する軸部４２と、上記本体部３０の他端に設けられたゴム等の弾性部材からなる凸部（図示せず）とを備えている。上記本体部４０の軸方向の寸法はＨ１１、軸部４２の軸方向の寸法はＨ１２とする。
【００１９】
ここで、図３に示す第１のモータ３において、
ＨＡ  ＝  Ｈ１＋Ｈ２
とし、図４に示す第２のモータ４において、
ＨＢ  ＝  Ｈ１１＋Ｈ１２
とするとき、
Ｈ１２  ＜  Ｈ２
ＨＡ  ＝  ＨＢ
としている。
【００２０】
次に、上記モータ取付台２にモータ取付具１を用いて図３，図４に示すモータを取り付ける場合について説明する。
【００２１】
まず、図３に示す第１のモータ３を取り付ける場合、図２に示すモータ取付台２の小径の円筒部２２の穴２２ａに第１のモータ３の弾性部材からなる凸部３３が嵌め込まれるように、モータ取付台２の３つのボス２４Ａ，２４Ｂ，２４Ｃの内側に第１のモータ３の本体部３０配置する。そうして、第１のモータ３の凸部３１がモータ押え部１０の円穴１０ａに嵌め込まれるようにして、第１のモータ３の軸部３２が突出する側を図１に示すモータ取付具１の円板形状のモータ押え部１０によりモータ取付台２側に押えつけた状態で、モータ取付具１の第１取付部１１，１２，１３の穴１７を用いてモータ取付台２のボス２４Ａ，２４Ｂ，２４Ｃにモータ取付具１をビス（図示せず）で固定する。
【００２２】
この場合、モータ取付具１の第１取付部１１，１２，１３の同一高さの座面は、円板形状のモータ押え部１０よりも軸方向に対して高い位置にあるので、第１のモータ３の本体部３０の高さＨ１がモータ取付台２のボス２４Ａ，２４Ｂ，２４Ｃの高さよりも低くても第１のモータ３を確実にモータ取付台２に固定することができる。
【００２３】
一方、図４に示す第２のモータ４を取り付ける場合、図２に示すモータ取付台２の小径の円筒部２２の穴２２ａに第２のモータ４の弾性部材からなる凸部（図示せず）が嵌め込まれるように、モータ取付台２のボス２４Ａ，２４Ｂ，２４Ｃの内側に第２のモータ４の本体部４０配置する。そうして、第２のモータ４の凸部４１がモータ押え部１０の円穴１０ａに嵌め込まれるようにして、第２のモータ４の軸部４２が突出する側を図１に示すモータ取付具１の円板形状のモータ押え部１０によりモータ取付台２側に押えつけた状態で、モータ取付具１の第２取付部１４，１５，１６の穴１８を用いてモータ取付台２のボス２４Ａ，２４Ｂ，２４Ｃにモータ取付具１をビス（図示せず）で固定する。
【００２４】
この場合、モータ取付具１の第２取付部１４，１５，１６の同一高さの座面は、円板形状のモータ押え部１０よりも軸方向に対して低い位置にあるので、第２のモータ４の本体部４０の高さＨ１１がモータ取付台２のボス２４Ａ，２４Ｂ，２４Ｃの高さよりも高くても第２のモータ４を確実にモータ取付台２に固定することができる。
【００２５】
このように、上記実施の形態のモータ取付具１およびそれを用いたモータ取付構造によれば、２種類の軸方向の寸法が異なる第１，第２のモータ３，４を取り付けることができる。
【００２６】
上記実施の形態では、モータ押え部１０の外縁側に第１，第２取付部１１〜１６を設けて、取付部の座面の高さを２種類としたモータ取付具１について説明したが、モータ押え部の外縁側に設けられた取付部は、座面の高さが少なくとも２種類以上あればよい。
【００２７】
また、上記実施の形態では、取付部の同じ高さの座面は３つとしたが、取付部の同じ高さの座面は２または４以上であってもよい。また、取付部を用いてモータ取付具をモータ取付台に固定する方法はビスに限らず、他の固定方法であってもよい。
【００２８】
また、上記実施の形態では、３つのボス２４Ａ，２４Ｂ，２４Ｃおよび小径の円筒部２２の内側の穴２２ａで嵌合部を構成したが、モータが嵌め込まれる嵌合部はこれに限らず、他の形状の嵌合部でもよい。
【００２９】
【発明の効果】
以上より明らかなように、請求項１の発明のモータ取付具は、モータ押え部と、上記モータ押え部の外縁側に設けられ、座面の高さが少なくとも２種類以上ある取付部とを備え、上記取付部の同じ高さの座面が複数あるものである。
【００３０】
したがって、請求項１の発明のモータ取付具によれば、座面の高さが少なくとも２種類以上ある取付部を用いて、高さ（軸方向の寸法）の異なるモータをモータ取付台に取り付けることが可能となると共に、同じ高さの座面の複数の取付部による複数の点でモータ取付台に確実に固定することが可能となり、少なくとも２種類以上の寸法の異なるモータを確実に取り付けることができる。
【００３１】
また、請求項２の発明のモータ取付構造は、上記モータ取付具を用いたモータ取付構造にであって、モータ取付台に設けられた嵌合部に嵌め込まれたモータを、モータ取付具のモータ押え部によりモータ取付台側に押えつけた状態で、モータ取付具の取付部を用いてモータ取付台にモータ取付具を固定したものである。
【００３２】
したがって、請求項２の発明のモータ取付構造によれば、上記モータ取付台に設けられた嵌合部に嵌め込まれたモータをモータ取付具のモータ押え部によりモータ取付台側に押えつけた状態で、座面の高さが少なくとも２種類以上ある取付部を備えたモータ取付具をモータ取付台に固定するので、少なくとも２種類以上の寸法の異なるモータを確実に取り付けることができる。
【図面の簡単な説明】
【図１】図１はこの発明の実施の一形態のモータ取付具の斜視図である。
【図２】図２は上記モータ取付具を用いてモータを取り付けるモータ取付台の斜視図である。
【図３】図３は軸方向の寸法が短い方の第１のモータの概略斜視図である。
【図４】図４は軸方向の寸法が長い方の第２のモータの概略斜視図である。
【符号の説明】
１…モータ取付具、
２…モータ取付台、
３…第１のモータ、
４…第２のモータ、
１０…モータ押え部、
１０ａ…円穴、
１１，１２，１３…第１取付部、
１１ａ，１４ａ…基部、
１１ｂ，１４ｂ…屈曲部、
１１ｃ，１４ｃ…先端部、
１４，１５，１６…第２取付部、
１７，１８…穴、
２０…ケーシング、
２１…大径の円筒部、
２２…小径の円筒部、
２３Ａ，２３Ｂ，２３Ｃ…リブ、
２４Ａ，２４Ｂ，２４Ｃ…ボス、
２５…ネジ穴。
【図１】
2004364423.tif 000003
【図２】
2004364423.tif 000004
【図３】
2004364423.tif 000005
【図４】
2004364423.tif 000006